Podtech/llm-jp-corpus-v4-ja_patent huggingface dataset:
(57)【要約】      （修正有）【課題】一人で背中の患部に軟膏、水溶薬を塗ることが出来る、簡単な道具を提供する。【解決手段】バー１は湾曲しており、クリップ２の先端が、患部に正確に接触するよう、バー１の角度を調節する。クリップ２はバーの先端上部に糊付けし固定している。そのクリップに適当な大きさに切断したスポンジ４を挟む。そのスポンジに定量の軟膏薬を塗布し、患部に塗布する。水溶薬の容器５をバーの下部に、紐又はテープ６で固定する。バー１の上部に突起３が有るので、その間に紐又はテープを挿入し、外れないように固定する。湾曲したバー１の先端上部に取り付けたクリップ２に、市販の台所洗浄用のスポンジ４を、患部の大きさに合わせて、適当に切断してクリップに挟む。そのスポンジに軟膏薬を塗布し、バーの角度を調節し正確に患部に軟膏薬を塗布する。【選択図】図２
0003168125.tif 000002
【実用新案登録請求の範囲】
【請求項１】
中間に湾曲部を有する操作バーと、操作バーの先端上部にクリップを備えると共に、クリップと湾曲部の間に紐やテープで市販薬容器を操作バーの下部に、固定する為の複数の突起部を設けた事を、特徴とする背中へ薬剤を塗布する為の道具。
【考案の詳細な説明】
【技術分野】
【０００１】
本発明は手の届かない背中に一人で軟膏薬や水溶薬を塗布する為の道具に関する
【背景技術】
【０００２】
手の届かない背中に軟膏薬や水溶薬を塗ろうとすると、他者に頼んで塗ってもらうしか無かった。特許文献に開示されているような道具はあるが、構造が煩雑であり取り扱いも面倒なものである。
【先行技術文献】
【特許文献】
【０００３】
【特許文献１】特開２００９−２９７２８１（Ｐ２００９−２９７２８１Ａ）
【考案の概要】
【考案が解決しようとする課題】
【０００４】
最近一人住まいの老人、単身者は増加傾向にあり、この人達は背中に薬を塗布したいと思っても、患部に正確に且つ適量の薬を塗布する事は、大変困難で、不便を感じている。これを解決する器具を開発した。
【課題を解決するための手段】
【０００５】
一人暮らしの老人、独身者が背中に薬を塗布する際に、患部に正確に且つ適量の薬を、自分で塗布できるような器具を考案した。
湾曲したバーの先端に軟膏薬を塗布したスポンジを、患者自身でバーを動かして、患部に正確に塗布出来るようにした。又水溶薬は先端のスポンジが患部に正確に塗布出来るよう、バーが操作出来るようにした。
【考案の効果】
【０００６】
老人及び独身者は、患部に正確に且つ適量の薬を,他人の力を借りることなく、必要な時に、必要な量の薬を、自分で何時でも患部に塗布可能となった。
【図面の簡単な説明】
【０００７】
【図１】本考案の全体図
【図２】本考案の使用時を示す図
【考案を実施するための形態】
【０００８】
図１、１バーは湾曲しており、クリップの先端が、患部に正確に接触するよう、バーの角度を調節する。２、クリップはバーの先端上部に糊付けし固定している。そのクリップに適当な大きさに切断したスポンジを挟む。そのスポンジに定量の軟膏薬を塗布し、患部に塗布する。図２、５水溶薬の容器をバーの下部に、６紐又はテープで固定する。１バーの上部に突起が有るので、その間に紐又はテープを挿入し、外れないように固定する。
【０００９】
湾曲したバーの先端上部に取り付けたクリップに,市販の台所洗浄用のスポンジを、患部の大きさに合わせて、適当に切断してクリップに挟む。そのスポンジに軟膏薬を塗布し、バーの角度を調節し正確に患部に軟膏薬を塗布する。その後一度使用したスポンジは、衛生上の観点から、使い捨てとする。水溶薬に関しては、市販の水溶薬の容器を湾曲したバーの先端下部に、紐又はテープで固定する。その際突起部の間に固定し、容器が移動しないように強く固定し、患部に先端スポンジ部分が正確に接触するよう、バーの角度を調節し、薬を塗布する。
【産業上の利用可能性】
【００１０】
独身者及び老人が、この発明品を利用する事により、患部が初期の段階で、処置する為、手遅れにならず、早期に処置が可能となるため、全国的にも医療費の削減に寄与できる。また、何時でも何処でも自分の意思で処置できる為、精神的に安定した日常生活を送る事が出来る。
【符号の説明】
【００１１】
１  操作バー
２  クリップ
３  突起
４  スポンジ
５  水溶液容器
６  固定紐又はテープ
【図１】
0003168125.tif 000003
【図２】
0003168125.tif 000004
(57)【要約】      （修正有）【課題】鎌の刃カバー収納構造と、作業中の刃による指の自傷事故防止に対する安全構造を提供する。【解決手段】鎌の口金５に平面板Ｂを刃先方向に接合させて、刃３の安全カバー２を、平面板Ｂに設けた回転軸穴Ｃを回転運動支点にして、折り畳み式の構造とした鎌である。安全カバー２で刃３を覆った位置は想像線で示した。平面板Ｂには、安全カバー２の回転軸穴Ｃが１か所と安全カバー２の回転運動のロック用のピン穴を１か所設けてある。安全カバー２の回転運動支点側は２つに分かれた板形状になっており、平面板Ｂを両面から挟んで、形状の回転軸とロックピンを接合させたプレート金具６で、安全カバー２の回転運動と回転のロックができる構造になっている。プレート金具６の回転軸は、安全カバー２の表面、平面板Ｂ、安全カバー２の裏面、座金、圧縮バネ性の座金の順に貫通させて、蝶ナットで固定されている。【選択図】図１
0003168072.tif 000002
【実用新案登録請求の範囲】
【請求項１】
鎌の口金の円筒部外面の接面に垂直且つ縦に接合させた平面板、鎌の口金本体、又は鎌の刃本体の根元部分の３か所の内、いずれかの部分に回転運動支点を設けて、柄に添った位置で刃を開放、刃に添った位置で刃を覆う構造の回転式刃カバーを有する鎌。
【請求項２】
鎌の口金の円筒部外面の接面に垂直且つ縦に接合させた平面板の末端側面に、握り手側への突起を形成した構造を特徴とする請求項１に記載の鎌。
【請求項３】
鎌の口金の円筒部外面の接面に垂直且つ縦に接合させた平面板に回転運動支点を有する回転式刃カバーの回転軸の構造として、回転軸と回転ロックピンを同一の板から垂直に立ち上げた形で各接合させて、この板を回転軸方向に摺動させることにより、平面板と刃カバーに設けた回転ロック用の穴を回転ロックピンで連結して、刃カバーの回転運動がロックできる構造を特徴とする請求項１に記載の鎌。
【考案の詳細な説明】
【技術分野】
【０００１】  本考案は、鎌に関して刃カバーの収納構造、及び刃による自傷事故防止構造に関するものである。
【背景技術】
【０００２】  従来から、鎌の携帯時の安全対策として、取り外し式の刃カバー、刃の折り畳み式の鎌が普及していたが、作業中の外したカバーの携帯性、折り畳んだ刃の収納構造の形態から携帯時の安全性に難点があったので解決が望まれていた。
また、握り手の滑りにより、指が刃に接触する自傷事故に対する対策が必要であった。
【先行技術文献】
【０００３】
【特許文献】
【特許文献】  特許公開２０００−３５４４１２（図２）
【非特許文献】
【０００４】
【考案の概要】
【考案が解決しようとする課題】
【０００５】  本考案は、鎌の刃カバー収納構造と、作業中の刃による指の自傷事故防止に対する安全構造を提供するものである。
【課題を解決するための手段】
【０００６】  本考案は、図１のとおり、鎌の口金５に平面板Ｂを刃先方向に接合させて、刃３の安全カバー２を、平面板Ｂに設けた回転軸穴Ｃを回転運動支点にして、折り畳み式の構造とした鎌である。安全カバー２で刃３を覆った位置は図１の想像線で示した。平面板Ｂには、図４のとおり安全カバー２の回転軸穴Ｃが１か所と安全カバー２の回転運動のロック用のピン穴Ｄを１か所設けてある。
図３のように、安全カバー２の回転運動支点側は２つに分かれた板形状になっており、平面板Ｂを両面から挟んで、図７に図示した形状の回転軸ＨとロックピンＩを接合させたプレート金具６で、安全カバー２の回転運動と回転のロックができる構造になっている。プレート金具６の回転軸Ｈは、安全カバー２の表面、平面板Ｂ、安全カバー２の裏面、座金７、圧縮バネ性の座金８の順に貫通させて、蝶ナット９で固定されている。
この部分の作動構造は、プレート金具６のロックピンＩが、図３のように安全カバー２のロックに必要な最小限の長さであって、蝶ナット９を緩めることにより、圧縮バネ性の座金７の張力でプレート金具６が抜ける方向に摺動、ロックが開放されて安全カバー２の回転運動が可能になる。所定の位置を確定してから、蝶ナット９を締めることによって、プレート金具６がロックの方向に摺動、安全カバー２の回転が阻止される。
安全カバー２の回転範囲は、口金５と刃３に安全カバー２が接触することで制限される構造である。
【考案の効果】
【０００７】  本考案によって、鎌による作業時、安全カバー２で指を保護することが可能で、使用しない時は安全カバー２で刃３を覆うことにより、鎌を逆さにして、安全に腰ベルトに挿して携帯することが可能となる。
使用状況により、安全カバー２が支障となる場合には、図４のとおり安全カバー２を取り外して使用できるが、平面板Ｂの効果で握り手が刃の方向に滑った場合でも握り手がこの位置で止まり、指の自傷事故防止を図ることができる。
安全カバー２を外して別体式として、刃３を覆うためには、平面板Ｂの回転軸穴Ｃに紐を通して、安全カバー２のすべり止め突起Ｅの部分も活用して刃３に縛って固定する。
【図面の簡単な説明】
【０００８】
【図１】正面図である。
【図２】図１の一部拡大図である。
【図３】Ａ−Ａ´断面図である。
【図４】刃カバー２を外した状態を示した正面姿図である。
【図５】刃カバーの正面図である。
【図６】刃カバーを刃３側から見た側面図である。
【図７】プレート金具６の斜姿図である。
【考案を実施するための形態】
【０００９】  本考案は、図１のとおり、刃カバー２が作業中の指を保護する目的を兼ねているので、この部品は破損を防止するために靭性に富んだ材料で制作することが望ましい。
なお、刃カバー２の回転支点は口金の円筒外面、又は刃３の根元部分に設けることも可能である。
【実施例】
【００１０】
【産業上の利用可能性】
【００１１】
【符号の説明】
【００１２】各図共通
１  柄
２  刃カバー
３  刃
４  目釘
５  口金
６  プレート金具
７  平座金
８  圧縮性のバネ座金
９  蝶ナット
Ｂ  口金に接合した平面板
Ｃ  口金に接合した平面板Ｂに設けた回転軸穴
Ｄ  口金に接合した平面板Ｂに設けたロック用のピン穴
Ｅ  紐の滑り止め突起部分
Ｆ  刃カバー２の回転運動ロック用の穴
Ｇ  刃カバー２の回転軸用の穴
Ｈ  プレート金具６の回転軸
Ｉ  プレート金具６のロックピン
【図１】
0003168072.tif 000003
【図２】
0003168072.tif 000004
【図３】
0003168072.tif 000005
【図４】
0003168072.tif 000006
【図５】
0003168072.tif 000007
【図６】
0003168072.tif 000008
【図７】
0003168072.tif 000009
(57)【要約】      （修正有）【課題】一器具によりイカ釣及び魚釣りの両方に使用できる仕掛投入器具を提供する。【解決手段】針掛台座１と、針掛３と、糸掛板７と、船縁板９とからなる。針掛台座１は、針掛置部２と、両面に面ファスナーを固着したシート６を備える。糸掛板７は、下部面に面ファスナーが固着され、シート６に貼着される。船縁板９は逆さＬ字形であり、上側部面に面ファスナーが固着され、針掛台座１の脱落を防止する。【選択図】図１
0003168075.tif 000002
【実用新案登録請求の範囲】
【請求項１】
本考案は、面ファスナーの特徴を利用し針掛台座（１）を本体とし針掛（３）糸掛板（７）船縁板（９）の分離することが出来る部材との構成からなる。
針掛台座（１）は、１又は複数の針掛置部（２）を設け、その船側には両面に面ファスナーを固着したシート（６）を固定し、その端末には脱落防止用のロープ通し穴（１１）が設けられている。
針掛（３）は、複数の波型あるいは山形の形状をなし耐腐食性に優れた金属線、もしくは被覆された金属線を部材とし、その一端は左右に取付け変更可能な止具（５）を有する。
糸掛板（７）は、下部面に面ファスナーを固着しシート（６）表面の任意の位置に貼着出来、上部には挟持力があり柔軟性に優れた部材を固着し糸を挟む為の切込み（８）を設けた。
船縁板（９）は、逆さＬ字型であり、上側部面に面ファスナーを固着しその両端にはロッドキーパー等により挟む為の突出部を設け、脱落防止と針掛台座（１）の固定に用し、その両端には錘掛（１０）を取付けた。
以上のごとく構成された事を特徴としたイカ・魚両用仕掛投入器。
【考案の詳細な説明】
【技術分野】
【０００１】  本考案は、船釣において一器具によりイカ釣及び魚釣の両方に使用出来る仕掛投入器具に関するものである。
【考案の概要】
【考案が解決しようとする課題】
【０００２】１．従来の仕掛投入器具は、イカ釣・魚釣の対象魚毎の器具しかなく其々の器具を用意しなければならなかった。
２．従来のイカ仕掛投入器具は、筒状の特性を利用したものがあったが大型であり運搬及び設置場所に制限を受けたり仕掛が筒内に簡単に入りずらかったり、筒内が濡れている場合糸がへばりつきスムーズに挿入出来なかった。
３．従来の魚仕掛投入器具は、磁力を利用した板状の物・金属を主体とし船縁に被せる等の物があったが、前者においては餌・疑似餌等が装着された釣針にはその効果が薄く使用しずらいものだった。
後者においては、一部前者の欠点を有する物もあり全体に大型の器具となり重量が嵩む等の不便さと、仕掛投入までの準備（器具に仕掛をセット）に時間と技術を必要としその効果を期待出来るものはなかった。
【問題を解決するための手段】
【０００３】１．  針掛台座（１）後部に耐久性のあるシート素材の両面に面ファスナーを固着した部材を固定し、糸掛板（７）船縁板（９）を貼着する構成にした。
シート（６）の両隅付近には針掛台座（１）の落下を防止するためロープ等で船体に縛着する為の通し穴（１１）を設けた。
２．  針掛（３）は複数の波型又は山形の形状をなす耐腐食性に優れた金属線を用い針掛置部（２）に狭持させ、針掛（３）の谷部分に釣針を引っ掛け糸掛板（７）の切込み（８）に枝素もしくは道糸を狭持させ片手で仕掛の保持を行える様にし、錘を海中に投入することにより針掛（３）はその重みで針掛置部（２）より外れ順次海中に落下する様にした。
その際、針掛（３）の海中落下を防止するため止具（５）を構成し左右での使用を可能にするため止具掛穴（４）を設けた。
３．  船縁板（９）には上部及び船側側面に面ファスナーを固着し様々な幅の船縁に取付け出来る様にした。
また船縁板（９）の両側にはシート（６）よりも突出させた形状とし、市販の竿受けによって挟み船縁板（９）の安定性と落下防止を図った。
船縁板（９）の両側面扇形の部分には錘掛（１０）を取付け、船の揺れで生ずる錘の遊動で仕掛の外れを防止するための着意をした。
４．  糸掛板（７）には、底部に面ファスナーを固着し仕掛の種類に応じシート部の任意の位置に貼着させることが出来る様にした。
上部には柔軟性を有するほぼ山形の部材を固着し、その領部にはハリス又は道糸を挟持する為の切込み（８）を設け、針掛（３）との操作には片手で実施できる様にした。
【考案の効果】
【０００４】１．イカ釣・魚釣の両方に使用することが出来る為利便性が増し、購入経費及び運搬の軽減に資する事が出来る。
２．面ファスナーの特性を利用することにより様々な船縁に取付る事が出来、その設置もスピーディーに行う事が出来る。
３．仕掛の投入準備に操作箇所が２箇所、状況により１箇所で良いため時間と技術を必要としなくなった。
４．構造・形状・部材等が比較的容易に製作出来るため、その費用の削減に努める事が出来た。
【図面の簡単な説明】
【０００５】
【図１】斜視図。
【符号の説明】
【０００６】  １  針掛台座
２  針掛置部
３  針掛
４  止具掛穴
５  止具
６  シート
７  糸掛板
８  切込み
９  船縁板
１０  錘掛
１１  通し穴
【図１】
0003168075.tif 000003
(57)【要約】      （修正有）【課題】簡単に取付け、取外しができ、プラスチックの劣化を防ぐ自動車ライトの日焼け防止カバーを提供する。【解決手段】繊維生地と、繊維生地にふくろとじされたマグネットからなる。【選択図】図２
0003168040.tif 000002
【実用新案登録請求の範囲】
【請求項１】
強力なマグネットゴム等を使用し、マグネット等の厚みは、０・５ｍｍまで位までにして、自動車のボンネット部分の曲状に“密着”できるようにする。
【請求項２】
強力のマグネットゴム等を、２〜３本使用し、“ふくろとじ”部分に挿入し、若干の移動が出来るようにしておく。
【請求項３】
“日焼け”防止カバーは、乾きやすい繊維の生地を用いて、雨天の後の乾きを早くする。
【考案の詳細な説明】
【技術分野】
【００１】この実用新案申請は、全ての自動車ライトに、簡単に装着、取り外しが出来るライト“劣化”防止を兼ねた“日焼け防止カバー”です。
【背景技術】
【００２】車両の軽量化のため、自動車ライトは、ガラスからプラスチックに変わっている。しかし、経過年数が長いほど、透明のレンズが、黄濁し、夜間の点灯時には、暗くなり、安全面にも支障がある。
特に“青空駐車”の車両の“劣化”が、著しい。
【考案の概要】
【考案が解決しようとする課題】
【００３】簡単に“脱着”出来るカバーで、保護する。安価で作成出来、“露天”使用でも可能で、あること。
【課題を解決するための手段】
【００４】マグネット（強力なマグネットゴム）と、化学繊維等の生地で、カバーを作成する。【００５】マグネットを、使用し、自動車の“鋼板”部分、に配置し、繊維生地で、マグネット部分“を、ふくろとじ”にして、作成し、マグネットは固定せず、“ふくろとじ”の中で若干の移動が、出来るようにして“鋼板曲面”に密着出来るようにしておく。又、化学繊維を用いることにより、雨で濡れても乾きやすい為、レンズ面も傷めない。
【考案の効果】
【００６】青空駐車の車は、“陽ざらし”で“劣化”も進みやすいが、この“日焼け”防止カバーを使用することで、いつまでも明るい状態を保持出来、又、交通安全上にも“寄与”するものと考えます。
又、最近の自動車の“バンパー”はプラスッチック製がほとんどであり、マグネットの効果が無いため、“下部”の部分は“のれん”状態にして風通しを、考えております。
最近の自動車は、塗装の改良もあり、また、ワックスの品質向上等もあり、丈夫になって、自動車全体カバーも必要がなくなっております。しかし、青空駐車の車の“ライト”は、常に“陽ざらし”、“雨ざらし”状態であり、“日焼け防止カバー”で保護できます。
【考案を実施するための形態】
【００７】自動車ライトの形状は、車種により、さまざまであるが、“大、中、小”、位を作成すれば、ほぼ全車種に対応が可能であるが、自動車ライトの形状に沿って作成したほうがきれいである。
【図面の簡単な説明】
【００８】自動車のボンネット部分、フェンダー部分は、“鋼板”であり、マグネットが活かせるため、この部分に“装着”する。
“日焼け”防止カバーは左右対称作成します
【図１】
0003168040.tif 000003
【図２】
0003168040.tif 000004
【図４】
0003168040.tif 000005
【図５】
0003168040.tif 000006
【手続補正書】
【提出日】平成22年8月30日(2010.8.30)
【手続補正１】
【補正対象書類名】実用新案登録請求の範囲
【補正対象項目名】全文
【補正方法】変更
【補正の内容】
【実用新案登録請求の範囲】
【請求項１】
“青空駐車”や常に“陽ざらし”状態の自動車ライトの“プラスチック”部分の劣化、や黄濁防止に、マグネットとアクリル生地を用いて、脱着簡単な、“日焼け防止カバー”を考案しました。
【手続補正２】
【補正対象書類名】明細書
【補正対象項目名】００８
【補正方法】変更
【補正の内容】
【００８】
【図１】は“日焼け防止カバー”を装着した正面図です。
【図２】は自動車のボンネット部分、フェンダー部分は、“鋼板”であり、マグネットが活かせるため、この部分に“装着”する。
【図３】は“日焼け”防止カバーは左右対称作成します。
【符号の説明】
「イ」  “日焼け防止カバー”
「ロ」  “鋼板”部分
「ハ」  “プラスチック”部分
【手続補正３】
【補正対象書類名】図面
【補正対象項目名】全図
【補正方法】変更
【補正の内容】
【図１】
0003168040.tif 000007
【図２】
0003168040.tif 000008
【図３】
0003168040.tif 000009
【手続補正書】
【提出日】平成22年11月22日(2010.11.22)
【手続補正１】
【補正対象書類名】実用新案登録請求の範囲
【補正対象項目名】全文
【補正方法】変更
【補正の内容】
【実用新案登録請求の範囲】
【請求項１】
“青空駐車”や、常に“陽ざらし”状態の自動車ライトの“プラスチック”部分の劣化と、黄濁防止として、ライト部分を“布”で覆いカバーすることで解決できる「自動車ライトの日焼け防止カバー」を考案しました。このカバーは、布生地と、磁石を用いて作成します。
布地の端に棒磁石を包み込んで、自動車ライトの形状に合わせたカバーを作成するものです。カバーの脱着時や、カバーの飛散防止策として、カバーの布地の１部分を磁石で包み込んでおり、この磁石の“力”をもって、自動車ライト部分の鋼板に、布生地を密着させることで飛散防止が出来、「自動車ライトの日焼け防止カバー」と、して機能を発揮出来るようになります。
【手続補正２】
【補正対象書類名】明細書
【補正対象項目名】００８
【補正方法】変更
【補正の内容】
【００８】
【図１】は“日焼け防止カバー”を装着した正面図です。
【図２】は日焼け防止カバーの正面図。自動車のボント部分、フェンダー部分は、“鋼板”であり、マグネットが活かせるため、この部分に“装着”する。
【図３】は日焼け防止カバーの断面図。“日焼け”防止カバーは左右対称作成します。
【符号の説明】
「イ」    “日焼け防止カバー”
「ロ」    “鋼板”部分
「ハ」    “プラスチック”部分
【手続補正書】
【提出日】平成23年2月28日(2011.2.28)
【手続補正１】
【補正対象書類名】実用新案登録請求の範囲
【補正対象項目名】全文
【補正方法】変更
【補正の内容】
【実用新案登録請求の範囲】
【請求項１】
繊維生地と、前記繊維生地にふくろとじされたマグネットからなることを特徴とする、自動車ライトの日焼け防止カバー。
(57)【要約】【課題】従来、本考案は、歯ブラシの中心部分で折れ曲がり、柄の中の空間にブラシ部が収納される形状の歯ブラシであるため、ブラシ部と柄部が分離する事なく使用時の半分の大きさに収納できる形態を特徴とするを提供する。【解決手段】本考案は、歯ブラシの中心部分で折れ曲がり、柄の中の空間にブラシ部が収納される形状の歯ブラシであるため、ブラシ部と柄部が分離する事なく使用時の半分の大きさに収納できる形態を特徴とする。【選択図】図１
0003168053.tif 000002
【実用新案登録請求の範囲】
【請求項１】
歯ブラシの中心部分で折れ曲がり、柄の中の空間にブラシ部が収納される形状の歯ブラシ
【考案の詳細な説明】
【考案の詳細な説明】
【技術分野】
【０００１】この考案は、歯ブラシの中心部分で折れ曲がり、柄の中の空間にブラシ部を収納することが可能にした歯ブラシである。
【考案が解決しようとする課題】
【０００２】従来、携帯用歯ブラシは、ブラシ部と柄が切り離され、ブラシ部を反転する事によって柄部にブラシ部を挿入する収納形態であった。
【課題を解決するための手段】
【０００３】本考案は、歯ブラシの中心部分で折れ曲がり、柄の中の空間にブラシ部が収納される形状の歯ブラシである。
【考案の効果】
【０００４】本考案は、歯ブラシの中心部分で折れ曲がり、柄の中の空間にブラシ部が収納される形状の歯ブラシであるため、ブラシ部と柄部が分離する事なく使用時の半分の大きさに収納できる形態を特徴とする。
【図面の簡単な説明】
【図１】本考案の正面図である。
【図２】本考案の上面図である。
【図３】本考案の収納図である。
【符号の説明】１  ブラシ部
２  柄部
３  番
【図１】
0003168053.tif 000003
【図２】
0003168053.tif 000004
【図３】
0003168053.tif 000005
【手続補正書】
【提出日】平成23年3月1日(2011.3.1)
【手続補正１】
【補正対象書類名】実用新案登録請求の範囲
【補正対象項目名】全文
【補正方法】変更
【補正の内容】
【実用新案登録請求の範囲】
【請求項１】
ブラシ部分（１ブラシ部）と手で持つ部分（２柄部）を分離したものを連結（３番）させ、歯ブラシの中心部分で折れ曲がり、保管時は使用時の約半分の大きさで柄の中（２番）の空間へブラシ部分（１ブラシ部）を分離することなく収納できる形態を特徴とする形状の歯ブラシ。
(57)【要約】      （修正有）【課題】釣り竿を傷付けずに、安定した状態にすることができる竿受け台を提供する。【解決手段】前部の締付部にはスチール板からなる台形の脚を蝶ネジで取付ける。後部の竿受け部分は、ボルト、ナット、パイプを組合せる。前部と後部を、５２ｃｍのパイプで継ぐ。【選択図】図１
0003168058.tif 000002
【実用新案登録請求の範囲】
【請求項１】
前部の締付部にスチールの板で作った台形の脚を上部の蝶ネジにより取り付ける。
脚の部分は釣りの場所によって不要な時も有ります。
後部竿受けの部分はボルト、ナット、パイプの組合せにより破損した部分のみの交換が可能である。
スチール製の台ですが総重量が９２０ｇと軽量、使用する竿の大きさも長さ４．５ｍ、重量１８０ｇ迄が最適。
それ以上の長さ、重量の場合は、前後それぞれに重りを付ける事で安定します。
【考案の詳細な説明】
【技術分野】この考案は魚釣りに関するものである。
【先行技術文献】
直接竿の乗る部分と全体を固定する部分は現在市販されている第一精工株式会社製のスーパー受太郎を使用します。
【考案の概要】
【考案が解決しようとする課題】竿を直接地面に置くとキズが付きやすく、又風により大きくゆれが生じます。舟釣り用の竿受けでは海側との距離がとれない為危険です。
【課題を解決するための手段】スーパー受太郎を前部と後部に分け、それぞれに脚を付け５２ｃｍのパイプで連結する。
【考案の効果】竿受け台を使う事で風の影響も少なく、竿が安定します。又海側との距離をとることで釣りをする人の無理な姿勢もなく安全な釣りが出来ます。
【図面の簡単な説明】
【図１】竿受け台全体を示す図である。
【図２】〔図１〕では見えない部分を表わした図である。後部の竿受けの部分は▲１▼のスチール板に▲２▼の２０ｃｍのボルトを通し、▲３▼▲４▼▲５▼▲６▼と順番に重ね▲７▼のナットで締め付け、その上に竿受けを蝶ネジで締める。前部の固定する部分は台形のスチールにスーパー受太郎の固定部分を蝶ネジで締め付ける。
【図１】
0003168058.tif 000003
【図２】
0003168058.tif 000004
【手続補正書】
【提出日】平成23年3月2日(2011.3.2)
【手続補正１】
【補正対象書類名】実用新案登録請求の範囲
【補正対象項目名】全文
【補正方法】変更
【補正の内容】
【実用新案登録請求の範囲】
【請求項１】
竿受け台の前部になる締付部にはスチールの板で作った台形の脚を蝶ネジにより取付け、後部竿受けの部分は、ボルト、ナット、パイプの組合せに脚を付け、前部と後部を５２ｃｍのパイプで継ぎ、竿を安定した状態で釣りが出来る形状の竿受け台。
【手続補正２】
【補正対象書類名】明細書
【補正対象項目名】全文
【補正方法】変更
【補正の内容】
【考案の詳細な説明】
【技術分野】竿受け台全体を固定する前部と竿を受ける後部に脚を付け、前部後部をパイプで連結することにより竿を安定した状態にする事が出来る。
【先行技術文献】
竿受け全体を固定する部分と竿を直接受ける部分は現在市販されている第一精工株式会社製のスーパー受太郎を使用します。
【考案が解決しようとする課題】
釣り竿を直接地面に置くと竿やリールにキズが付き、又風により大きく揺れが生じます。舟釣り用の竿受け台では竿を安定させる事が出来ず、又海側との距離がとれない為危険です。
【課題を解決するための手段】
竿受け全体を固定する前部と直接竿を受ける部分に幅約３０ｃｍの脚を付け、それぞれを５２ｃｍのパイプで連結する。
【考案の効果】
竿受け台に幅約３０ｃｍの脚を前後に付け、５２ｃｍのパイプで前後を連結する事により、竿が安定した状態で釣りが出来ます。又海側との距離をとることで釣りをする人の無理な姿勢もなく安全な釣りが出来ます。
【図面の簡単な説明】
【図１】竿受け台全体を示す図である。
【図２】［図１］では見えない部分を表した図である。後部の竿受けの部分は▲１▼のスチール板に▲２▼の長さ２０ｃｍのボルトを下から通し、そのボルトに▲３▼▲４▼▲５▼のパイプを順番に重ね、その上に▲６▼のスチール板を重ね▲７▼のナットで締め付けます。その上に竿受けを蝶ネジで締める。前部の固定する部分は、台形のスチール板に固定部分を蝶ネジで締め付ける。
(57)【要約】      （修正有）【課題】一般的に知られるスピンドルケースは、ディスク入力後に保管ファイルケースとして用いることができないが、入力ディスクを不織布袋に入れて、保護ファイル機能を付加させることで、ディスク入力後も、保管ファイルケースとして活用できるものを得る。【解決手段】一般的に知られるタイトル欄付ディスク用不織布袋３の、封入したディスク穴に当たる部分に、ディスク穴より若干大きめの円窓１と、それに垂直上方続伸した逆Ｕ窓２が、一体化して不織布袋に貫通したものである。また円窓１のみを貫通したものとすることもでき、さらにディスク封入本考案不織布袋を固定収納した上、ケースの蓋もできるようにした、四角形スピンドルケースとのセット組にすることもできる。【選択図】図１
0003168059.tif 000002
【実用新案登録請求の範囲】
【請求項１】
一般的に知られるタイトル欄付ディスク用不織布袋３の、封入したディスク穴に当たる部分に、ディスク穴より若干大きめの円窓１が、さらに円窓１から幅狭で垂直上方に逆Ｕ形の逆Ｕ窓２が、収納ディスク入力面手前まで続伸し、両者一体化し共に貫通した、スピンドルケース収納用不織布袋。
【請求項２】
逆Ｕ窓２を設けず、円窓１のみを不織布袋に貫通した、請求項１記載のスピンドルケース収納用不織布袋。
【請求項３】
ディスク封入の本考案不織布袋を、スピンドルケースの立柱に入数差し込んで収納し、ケースの蓋もできるようにした、四角形スピンドルケースとのセット組み。
【考案の詳細な説明】
【技術分野】
【０００１】  本考案は、多数枚入りディスク製品の包装ケースである、一般的に知られる円形スピンドルケースと、不織布袋に関するものである。
【背景技術】
【０００２】  多数枚ディスク入りケース製品の場合、入数ディスクを重ねた束の外寸に、ほぼ合わせた内径筒によって収納する、円筒状の円形スピンドルケースを用いていた。
【考案の開示】
【考案が解決しようとする課題】
【０００３】  円形スピンドルケースには、個々のディスク保護カバーと、ファイル保管機能が全く無いため、販売用に多数枚のディスクをまとめて入れ包装するだけしかできず、ユーザーのディスク入力後は、別途ファイル保管ツール・方法を得なければならず、前述の欠点を解決しようとするものである。
【課題を解決するための手段】
【０００４】  本考案は、一般的に知られるタイトル欄付ディスク用不織布袋３の、封入したディスク穴に当たる部分に、ディスク穴より若干大きめの円窓１が、さらに円窓１から幅狭で垂直上方に逆Ｕ形の逆Ｕ窓２が、収納ディスク入力面手前まで続伸し、両者共に一体化貫通して設けたものである。また逆Ｕ窓２を設けず、円窓１のみを不織布袋に貫通したものとすることもでき、さらにディスク封入の本考案不織布袋を、スピンドルケースの立柱に差し込んで収納し、ケースの蓋もできるようにした、四角形スピンドルケースとのセット組みにすることもでき、問題を解決したものである。
【考案の効果】
【０００５】  上述の様に、本考案のスピンドルケース収納用不織布袋は、ディスクを個々に不織布袋で封入カバーした上、スピンドルケースの立柱に円窓１部で差し込み、円形スピンドルケースに固定保管できる効果があり、その際不織布袋の天部が、タイトル欄７になっているので、積み重なった不織布袋のタイトル欄７が、一列に連続して並び重なって、一目瞭然でタイトル検索できるファイル効果がある。また四角形スピンドルケースとのセット組みのものでは、ディスク封入本考案の不織布袋を、収納密閉できる効果があり、これら前記によって、別途にファイル用保管ツール等を必要としない効果がある。
【考案を実施するための最良の形態】
【０００６】  一般的に知られるタイトル欄付ディスク用不織布袋３の、封入したディスク穴に当たる部分に、ディスク穴より若干大きめの円窓１を貫通して開けているので、円窓１部を封入ディスク穴部と共に、ディスク穴より若干細いスピンドルケースの立柱に、容易に差し込んでスピンドルケースに固定収納できるもので、その際、多数収納ファイルした不織布袋の天部タイトル欄７が、一列に連続して並び重なって見えるため、一目瞭然でタイトル検索できる。さらに円窓１から幅狭で垂直上方に逆Ｕ形の逆Ｕ窓２が、収納ディスクの入力面手前まで続伸して、円窓１と共に不織布袋に貫通しているので、スピンドルケースの立柱が、円窓１から逆Ｕ窓２に移らず不織布袋を固定でき、その上円窓１から収納したディスク穴に指を当てがい、そのまま逆Ｕ窓２にスライドアップさせていくと、ディスク端が袋口に出るので、ディスクを容易に掴めて袋から取り出せる。
【実施例】
【０００７】  一般的に知られるタイトル欄付ディスク用不織布袋３は、プラスチックフイルム５と不織布４を溶着６によって袋に形成し、ディスク１枚を入れるシングル袋と、２枚のプラスチックフイルム５の間に不織布４を挟み溶着６し二重袋にした、ディスク２枚を入れるダブル袋があり、いずれも袋天部にタイトル欄７が設けられたものであり、それらに施して本考案を成すものである。【０００８】  また本考案の不織布袋は、円窓１に逆Ｕ窓２を一体化続伸して不織布袋に貫通せず、円窓１のみを貫通させることもできる。この場合収納ディスクの取り出しにくさを除けば、機能的にはさして問題はない。また一般的に知られる円形スピンドルケースを、ディスク封入の本考案不織布袋入数が、ほぼぴったり収納できる大きさの四角形スピンドルケースにすることにより、さらにケースのカバーで覆って密閉でき、より良好のものとなるので、両者をセットに組んだものを得ることもできる。
【産業上の利用可能性】
【図面の簡単な説明】
【０００９】
【図１】本考案のスピンドルケース収納用不織布袋の、円窓１に逆Ｕ窓２を続伸一体化して不織布袋に貫通した、一実施例を示す正面図。
【図２】一般的な不織布袋の、逆Ｕ窓２を無くし円窓１のみで不織布袋に貫通した、一実施例を示す正面図。
【符号の説明】
【００１０】  １  円窓
２  逆Ｕ窓
３  タイトル欄付ディスク用不織布袋
４  不織布
５  プラスチックフィルム
６  溶着
７  タイトル欄
【図１】
0003168059.tif 000003
【図２】
0003168059.tif 000004
【手続補正書】
【提出日】平成23年2月17日(2011.2.17)
【手続補正１】
【補正対象書類名】実用新案登録請求の範囲
【補正対象項目名】請求項１
【補正方法】変更
【補正の内容】
【請求項１】
タイトル欄付ディスク用不織布袋３の、封入したディスク穴に当たる部分に、ディスク穴より若干大きめの円窓１が、さらに円窓１から幅狭で垂直上方に、逆Ｕ形の逆Ｕ窓２が、収納ディスク入力面手前まで続伸し、両者一体化し共に貫通した、スピンドルケース収納用不織布袋。
【手続補正２】
【補正対象書類名】実用新案登録請求の範囲
【補正対象項目名】請求項３
【補正方法】変更
【補正の内容】
【請求項３】
ディスク封入の請求項１又は２記載のスピンドルケース収納用不織布袋を、スピンドルケースの立柱に入数差し込んで収納し、ケースの蓋もできるようにした、四角形スピンドルケースとのセット組み。
(57)【要約】      （修正有）【課題】電車などに多くみられる、横にスライドして開閉するドアにおいて、もし手や物などが挟まってしまった場合でも、簡単に抜くことができるドアを提供する。【解決手段】金属芯Ｂ・Ｃに、従来緩衝材として使用していたような合成ゴムまたは合成樹脂素材Ａを、ドア本体Ｇとの接続部を上下に残し、装着・巻きつける。ドア本体Ｇは、このロール状の緩衝部分が触れないようになっており（ロール非接触面Ｆ）、金属芯Ｂ・Ｃが嵌まり、ロールを支えるための穴Ｅ・Ｄが上下に空いている。ロール非接触面Ｆはロール状の緩衝部分に合わせた半円状になっているが、特に形状は問わない。ドアに挟まれたものを下の方に引っ張るとすると、ロール部分は矢印のように回転し、挟まれた衣服は容易に抜けることになる。同様に、手や物などが挟まれた場合も抜くことができる。【選択図】図２
0003168051.tif 000002
【実用新案登録請求の範囲】
【請求項１】
横にスライドして開閉するドアにおいて、手や物などが挟まれた時、引っ張ると簡単に抜ける事ができるよう、緩衝部分を回転ローラーにした挟まれ事故防止ドア。
【考案の詳細な説明】
【技術分野】
【０００１】本考案は、電車などに多くみられる、横にスライドして開閉するドアに関するものである。
【背景技術】
【０００２】図７は、従来のドアの断面図である。緩衝部分Ｈがドア本体Ｇに固定されている。緩衝部分Ｈの素材は合成ゴムや合成樹脂などで出来ている。
【考案の概要】
【考案が解決しようとする課題】
【０００３】この場合、ドア（緩衝部分Ｈと緩衝部分Ｈの間）に手や物などが挟まった時、これを引っ張っても抜くことができず、負傷事故につながることがあり、大変危険である。【０００４】そこで本考案は、もしドアに手や物などが挟まってしまった場合でも、簡単に抜くことができるドアを提供することを課題とする。
【課題を解決するための手段】
【０００５】以上の課題を解決するために、本考案は、従来のドアで使用されていたゴムなどの素材で出来た緩衝部分を回転ローラーにすることを特徴とする。
【考案の効果】
【０００６】本考案により、ドアに手や物などを挟まれた場合、それを強く引っ張ると、緩衝部分Ａが金属芯Ｂを中心に回転するため、挟まった手や物などを簡単に抜くことができる（図３）。【０００７】よって、電車のドアを考えた場合、もしドアに手や物などが挟まったまま気付かれず電車が発進してしまったとしても、容易に手や物などを抜くことができるため、電車に引きずられる等の負傷事故を防ぐことができる。
【考案を実施するための形態】
【０００８】本考案の一実施形態を図１・図２・図３に示す。
【０００９】従来のドアにおけるゴムなどの素材で出来た緩衝部分が、図２のＡ・Ｂ・Ｃのようなロール状になっているのが大きな特徴である。構成は、金属芯Ｂ・Ｃに、従来緩衝材として使用していたような合成ゴムまたは合成樹脂素材Ａを、ドア本体Ｇとの接続部を上下に残し、装着・巻きつけ等している状態である。
【００１０】ドア本体Ｇは、このロール状の緩衝部分が触れないようになっており（ロール非接触面Ｆ）、金属芯Ｂ・Ｃが嵌まり、ロールを支えるための穴Ｅ・Ｄが上下に空いている。図面では、ロール非接触面Ｆはロール状の緩衝部分に合わせた半円状になっているが、特に形状は問わない。
【００１１】図３はこの実施形態を上から見た場合の断面図であるが、ドアに挟まれたもの（１）を下の方に引っ張るとすると、ロール部分は矢印のように回転し、挟まれた衣服は容易に抜けることになる。同様に、手や物などが挟まれた場合も抜くことができる。
【００１２】ロール非接触面Ｆからは外気が出入りすることが考えられるので、外気を遮断する何らかの工夫が必要であると考えられるが、本考案ではあえて限定しない。
【００１３】以上は、ドアが２枚の場合であるが、１枚の場合でも同様に本考案の効果が期待できる（図４）。また、このロール部分は１本に限定しておらず、２本（図５）、３本（図６）と増やしたとしても、同様に本考案の効果が期待できる。
【図面の簡単な説明】
【００１４】
【図１】本考案の一実施形態の説明図
【図２】本考案の構造図
【図３】本考案の上から見た断面図
【図４】本考案の別実施形態の上から見た断面図
【図５】本考案の別実施形態の側面から見た平面図
【図６】本考案の別実施形態の側面から見た平面図
【図７】従来例の上から見た断面図
【符号の説明】
【００１５】Ａ  合成ゴム・合成樹脂等のロール
Ｂ・Ｃ  金属芯棒
Ｄ・Ｅ  金属芯棒  受け穴
Ｆ  ドアのロール非接触面
Ｇ  ドア本体
Ｈ  合成ゴム・合成樹脂等の緩衝材
１  衣服等ドアに挟まれたものの例
【図１】
0003168051.tif 000003
【図２】
0003168051.tif 000004
【図３】
0003168051.tif 000005
【図４】
0003168051.tif 000006
【図５】
0003168051.tif 000007
【図６】
0003168051.tif 000008
【図７】
0003168051.tif 000009
【手続補正書】
【提出日】平成23年3月4日(2011.3.4)
【手続補正１】
【補正対象書類名】実用新案登録請求の範囲
【補正対象項目名】全文
【補正方法】変更
【補正の内容】
【実用新案登録請求の範囲】
【請求項１】
電車など横にスライドして開閉するドアにおいて、ドア先端の開口淵の上下に金属芯の受け穴を設け、金属芯を有した回転ローラーを設置したことを特徴とする、挟まれ事故防止ドア。
(57)【要約】      （修正有）【課題】車輪発光装置に用いて最適に発光せしめる位置に調整可能な車輪用照明装置を提供する。【解決手段】台座２の上下部に各々直交する方向に凹形状３，４を備え、これらの凹形状の間に各々直交する方向に貫通した貫通穴５，６を上下に隣接して備え、これらの貫通穴に各々ベルト部材７，８を通して備える。上部凹形状３内に照光部９を有する照明器具１を受けて一方のベルト部材７で照明器具を捲いて保持し、上部凹形状側に隣接する貫通穴を上部凹形状の貫通方向と同一方向に貫通して設けて車輪用照明装置を構成する。【選択図】図１
0003168088.tif 000002
【実用新案登録請求の範囲】
【請求項１】
台座の上下部に各々直交する方向に凹形状を備え、これらの凹形状の間に各々直交する方向に貫通した貫通穴を上下に隣接して備え、これらの貫通穴に各々ベルト部材を通して備え、上部凹形状内に照明器具を受けて一方のベルト部材により照明器具を捲いて保持して備えた車輪用照明装置。
【請求項２】
上部凹形状側に隣接する貫通穴を上部凹形状の貫通方向と同一方向に貫通して設けた請求項１記載の車輪用照明装置。
【考案の詳細な説明】
【技術分野】
【０００１】  この考案は、車輪上の蓄光部位に対する光の照射位置を最適に調整するための保持構造を備えた車輪用照明装置に関するものである。
【背景技術】
【０００２】  従来、二輪車等の車両に用いられる車輪に蓄光部位を備えて、これに対して車輪と共に回転しない車体部位に取り付けられた車輪用照明装置から光を照射することによって前記蓄光部位を励起、発光せしめ、車輪回転時に円状発光を得る車輪発光装置があった。
【考案の開示】
【考案が解決しようとする課題】
【０００３】  これには次の様な問題点があった。
車輪用照明装置は、照光部をなるべく車輪の蓄光部材表面に接近させ、かつ、蓄光部材表面に対して垂直に近く設置することによって蓄光部材をより明るく発光せしめることが出来るが、取り付ける車体によって蓄光部材表面と車輪用照明装置を取り付けようとする車体構造物との間の距離は様々であり、従来の車輪用照明装置では多様な車種において最適な位置に調整して取り付けることが困難であった。
本考案は以上の問題点を解決するためになされたものである。
【課題を解決するための手段】
【０００４】  台座の上下部に各々直交する方向に凹形状を備え、これらの凹形状の間に各々直交する方向に貫通した貫通穴を上下に隣接して備え、これらの貫通穴に各々ベルト部材を通して備え、上部凹形状内に照明器具を受けて一方のベルト部材で照明器具を捲いて保持して備え、上部凹形状側に隣接する穴を上部凹形状の貫通方向と同一方向に貫通して設けた請求項１記載の車輪用照明装置である。
【考案の効果】
【０００５】  車輪上の蓄光部材表面と照明器具との間の距離が照明装置を保持するベルト部材を適宜緩めることによって自在に調整出来るため、車種に関わらず最適な距離から蓄光部材に光を照射可能に取り付けることが出来る。
【考案を実施するための最良の形態】
【０００６】  以下本考案の実施の形態について説明する。
（イ）台座（２）の上下に各々直交する方向に凹形状（３）（４）を備え、これらの凹形状の間に各々直交する方向に貫通した貫通穴（５）（６）を上下に隣接して備え、これらの貫通穴に各々ベルト部材（７）（８）を通して備え、上部凹形状（３）内に照明器具（１）を受けて一方のベルト部材（７）で照明器具を捲いて保持して備えた車輪用照明装置である。下部凹形状（４）は本車輪用照明装置を取り付ける車両の車体構造物（１０）を受けてもう一方のベルト部材（８）によってこれを捲いて車輪用照明装置全体を車体構造物（１０）に保持して使用する。尚、ベルト部材には面ファスナー等着脱出来、細かく締め付け量を調整出来るものや伸縮性のゴムベルトを用いることが望ましい。台座には柔軟な素材、例えばゴム系材料等を用いることが望ましく、これにより滑り止めの機能を持たせつつ、車体構造物の形状に密着して取り付けることが可能となり、位置ずれし難いものとなる。照明器具（１）の電源は、電池類を照明器具（１）に内蔵しても有線で外部から供給してもよい。
以上の構造により車体構造物（１０）と車輪（１１）の距離に関わらず照明器具（１）の照光部（９）と車輪（１１）に備わる蓄光部位（１２）の間の距離を適切に調整して取り付けることが可能となる。【０００７】（ロ）上記の形態に加えて、上部凹形状（３）側に隣接する貫通穴（６）を上部凹形状（３）の貫通方向と同一方向に貫通して設けた構造とすることにより、照明器具（１）を保持するベルト部材（７）と車体構造物（１０）を保持するベルト部材（８）が台座（２）内で交差する。これにより台座（２）にゴム系材料等の柔軟な部材を用いた場合にこのベルト部材の交差部分が圧縮されて剛性が生じるために、車両走行時の振動・衝撃等によって照明器具（１）が振れることが防がれ、走行中も適切な位置を保つことが可能となる。
【図面の簡単な説明】
【０００８】
【図１】本考案の斜視図
【図２】本考案の台座斜視図
【図３】本考案の使用状態図
【符号の説明】
【０００９】  １  照明器具
２  台座
３  凹形状
４  凹形状
５  貫通穴
６  貫通穴
７  ベルト部材
８  ベルト部材
９  照光部
１０  車体構造物
１１  車輪
１２  蓄光部位
【図１】
0003168088.tif 000003
【図２】
0003168088.tif 000004
【図３】
0003168088.tif 000005
(57)【要約】      （修正有）【課題】ワッシャを用いるナットの緩み止め機構を提供する。【解決手段】右ネジと左ネジを刻設したクロス雄ネジを設け、右ネジ２を刻設した右ネジナット４と左ネジ３を刻設した左ネジナット５を設けて、クロス雄ネジに双方のナットを重ねて締め込む場合において、各ナット間に高摩擦係数面を上下に有するワッシャ６を介在させることにて、クロス雄ネジに対する各ナットの緩みを防止するよう組み合わせ構成したことを特徴とする。【選択図】図３
0003168086.tif 000002
【実用新案登録請求の範囲】
【請求項１】
右ネジと左ネジを刻設したクロス雄ネジを設け、右ネジを刻設した右ネジナットと左ネジを刻設した左ネジナットを設けて、クロス雄ネジに双方のナットを重ねて締め込む場合において、各ナット間に高摩擦係数面を上下に有するワッシャを介在させることにて、クロス雄ネジに対する各ナットの緩みを防止するよう組み合わせ構成したことを特徴とするワッシャを用いたナットの緩み防止機構。
【請求項２】
高摩擦係数面を、硬質微粒子衝突手法による微細凹凸面形成によるものとした請求項１記載のワッシャを用いたナットの緩み防止機構。
【考案の詳細な説明】
【技術分野】
【０００１】  この考案は、ワッシャを用いたナットの緩みを防止するための機構に関する。
【背景技術】
【０００２】  従来より、ナットの緩みを防止するための種々の手段が利用されているが、本案にて示すように、互いに逆ネジとなるナットを用いるとともに、ナット相互間に高摩擦係数面を有するワッシャを設け、このワッシャの押圧接触にて緩みを防止する手段は見あたらない。
【考案の開示】
【考案が解決しようとする課題】
【０００３】  ナットは物品固定用部品として多方面に用いられている。ナットを締め込んだ後のナット緩みを防ぐために種々の手段があり、スプリングワッシャやダブルナットなどが一般的で多用されている。ナットの緩む原因としては、接触部凹凸の平坦化、座面部の塑性変形、軸直角方向繰り返し外力による緩みなどいくつもの要因がある。これらの原因による緩み防止のために上述のような手段があり、とりわけダブルナット方式が多用されている。
これは、一つの雄ねじに対して２個のナットを用い、互いのナット間の引張力と押圧摩擦にて緩みを防止するものであるが、振動の多い場所ではこのダブルナットにても緩みの完全防止は得られず、根本的な解決手段が見あたらないのが現状である。
本案は、以上のような従来からのナット緩み防止手段に関わる課題を解決するために考案されたもので、シンプルな構成にて上述の目的を達することのできる新規かつ有用なる手段を提供することを目的としたものである。
【課題を解決するための手段】
【０００４】  課題を解決する手段として本案は以下の構成とした。
すなわち、右ネジと左ネジを刻設したクロス雄ネジを設け、右ネジを刻設した右ネジナットと左ネジを刻設した左ネジナットを設けて、クロス雄ネジに双方のナットを重ねて締め込む場合において、各ナット間に高摩擦係数面を上下に有するワッシャを介在させることにて、クロス雄ネジに対する各ナットの緩みを防止するよう組み合わせ構成する。
本案は以上の構成よりなるワッシャを用いたナットの緩み防止機構である。
【考案の効果】
【０００５】  本案によれば、クロス雄ネジに右ネジナットと左ネジナットを重ねて押圧する場合において、各ナット間に高摩擦係数面を上下に有するワッシャを介在させる手法のため、該ワッシャを用いない場合に比べてナット間の滑り防止効果が高まり、ナットの緩み防止に高い効果を発揮することができる。また、座面付きナットを用いることにて、ナットとワッシャの接触面積が大となってより強固な緩み止め効果が発揮される。
【考案を実施するための最良の形態】
【０００６】  以下、本考案の実施形態について説明する。
図において、１はクロス雄ネジである。このクロス雄ネジは、右ネジ２による雄ネジ部分に左ネジ３を刻設したものである。４は右ネジナットで、その中央に右雌ネジを刻設した略六角柱体である。５は左ネジナットで、その中央に左雌ネジを刻設した略六角柱体である。６は高摩擦ワッシャである。このワッシャはその全面にサンドブラストやショットピーニング手法による微細凹凸が形成されたものである。
以上が本案の第１実施例である。本案使用に際しては、まずクロス雄ネジに右ネジナットを螺合させて締め込む。次に高摩擦ワッシャを該ナット上面に乗せ、左ネジナットをその上から締め込む。この状態において、各ナットは高摩擦ワッシャに押圧接触しており、ナットとワッシャ間には強い摩擦抵抗が存在している。すなわち、微細凹凸面にナット面が接触することにて実押圧面積は少なくなって単位面積あたりの押圧力は強化されて、相互の滑りが防止されている。従って、相互のナットは一体的となり、また互いに逆ネジとなっているためにクロス雄ネジに対するナットの回転は防止される。すなわち、この一体的となっている一組のナットは左右いずれかの方向に回転しようとしても、いずれかのナットにそれが阻止されて緩み止め機能が発揮される。
図４は座面付きナットを用いた例である。１０は座面付き右ネジナット、１１は座面付き左ネジナットである。ワッシャ外径とナット座面外径は等しく、右ネジナットは天地を逆として各ナットの座面と該ワッシャとは押圧接触関係にある。本例では高摩擦ワッシャ面とナット座面とがより広い面積にて接触しているので、より高い緩み止め効果が発揮される。
以上、本案について記したが、本案は右ネジナットと左ネジナットを上下に重ねてクロス雄ネジに螺合させ、高摩擦ワッシャを介在させるところにその特徴を有し、強固な緩み止め効果を有するものである。従来は、クロス雄ネジを用いない手段が利用されており、根本的な解決は難しかったが、本案にてこれが可能となったのである。
以上述べたように、本案はクロス雄ネジを利用し、逆ネジナットを高摩擦ワッシャを介在させて用いる方式のため、ナット締め込みによる双方ナットの固定にて各ナットの緩みを防止することのできる有用なる機構を提供することができる。
【図面の簡単な説明】
【０００７】
【図１】  本考案の高摩擦ワッシヤの平面図
【図２】  本考案の高摩擦ワッシャの正面図
【図３】  本考案の使用状態図
【図４】  本考案の使用状態図（座付きナット使用時）
【符号の説明】
【０００８】  １  クロス雄ネジ
２  右ネジ
３  左ネジ
４  右ネジナット
５  左ネジナット
６  高摩擦ワッシャ
１０  座面付き右ネジナット
１１  座面付き左ネジナット
【図１】
0003168086.tif 000003
【図２】
0003168086.tif 000004
【図３】
0003168086.tif 000005
【図４】
0003168086.tif 000006